(57)【要約】【課題】  皮膚下層の皮下脂肪と皮膚上層のコラーゲンとの両方を収縮させて肌の引締めという高い美容効果得ようとするときであっても、施術時間が長くならない美容機器を提供する。【解決手段】  長さが等しい２組のＲＦ電極対を比較的近接してプローブに設けて、本体部より同時に送出されてくる５００ｋＨｚと１ＭＨｚの２通りの電源のうちの５００ＫＨｚの方の電源を上記プローブの一方のＲＦ電極対間に供給し、１ＭＨｚの方の電源を上記プローブの他方のＲＦ電極対間に供給し、皮膚下層と皮膚上層との両方を同時進行的に施術する構成とした。【選択図】        図１
2018000489.tif 000002
【特許請求の範囲】
【請求項１】
施術時に顔等の皮膚に対向する施術面に、長さが等しい２組のＲＦ電極対が、比較的近接して突設されているプローブと、
スイッチ操作を受けて、周波数がそれぞれ５００ｋＨｚと１ＭＨｚの２通りの電源を同時に送出する本体部と、
上記本体部と上記プローブとを接続して、上記本体部から送出される２通りの電源のうちの５００ＫＨｚの電源を上記プローブの一方のＲＦ電極対間に供給し、１ＭＨｚの電源を上記プローブの他方のＲＦ電極対間に供給するコード部とを備えることを特徴とする美容機器。
【請求項２】
施術時に顔等の皮膚に対向する施術面に、当該施術面と略面一に２組のＲＦ電極対が比較的近接して埋設されているプローブと、
スイッチ操作を受けて、周波数がそれぞれ５００ｋＨｚと１ＭＨｚの２通りの電源を同時に送出する本体部と、
上記本体部と上記プローブとを接続して、上記本体部から送出される２通りの電源のうちの５００ＫＨｚの電源を上記プローブの一方のＲＦ電極対間に供給し、１ＭＨｚの電源を上記プローブの他方のＲＦ電極対間に供給するコード部とを備えることを特徴とする美容機器。
【発明の詳細な説明】
【技術分野】
【０００１】
本発明は、美容院等で施術に用いられる美容機器に係り、特に、この美容機器のプローブの施術面（施術時に顔の皮膚等即ち施術対象へ対向する面）に突設或いは当該施術面に略面一に埋設されているＲＦ（Ｒａｄｉｏ  Ｆｒｅｑｕｅｎｃｙ）電極対を、施術対象である顔の皮膚等に接触させて、当該ＲＦ電極対間の皮膚に微弱なＲＦ電流を流すことで、この部分の皮膚の美容を図るタイプの美容機器に関する。
【背景技術】
【０００２】
従来、プローブの施術面に突設等されている１乃至複数組のＲＦ電極対を、顔や身体の皮膚に接触させて、当該ＲＦ電極対間の皮膚に沿って微弱なＲＦ電流を流すことで、この部分の皮膚乃至その下部を温めて各種の美容的効果を得ようとする美容機器が提案されている（特許文献１、２）。
ところで、上記のような美容機器で皮膚にＲＦ電流を流す場合、該電流の周波数をＲＦの中でも比較的低い側のものにすると、該電流は皮膚の比較的広い範囲に亘り皮膚の深い下部を集中的に流れて、結果的に皮膚の比較的下層部分を温める。他方、上記該電流の周波数をＲＦの中でも比較的高い側のものにすると、該電流は皮膚の比較的狭い範囲及び皮膚の表面側即ち表皮や真皮に沿って流れて、これらの部分を温める。
このような事情により、実用に供されているこの種の美容機器には、ＲＦ電流の周波数を比較的低い側のものにして、主として皮膚の比較的下層にある皮下脂肪を温めて収縮させることで、結果的に肌を引締めようとする美容機器と、ＲＦ電流の周波数を比較的高い側のものにして、皮膚の上層即ち表皮や真皮のコラーゲンを温めて収縮させることで、結果的に肌を引締めようとする美容機器とがある。
また、最近では、上記ＲＦ電流の周波数を切替えることで、選択的に皮膚下層の皮下脂肪又は皮膚上層のコラーゲンを収縮させて、肌の引締めを図る美容機器も実用に供されている。
【先行技術文献】
【特許文献】
【０００３】
【特許文献１】特開２０１１−１９４１７７号公報
【特許文献１】特開２０１１−１９４１７５号公報
【発明の概要】
【発明が解決しようとする課題】
【０００４】
上述のように、従来のこの種の美容機器には、大別して、３つのタイプのものがある。即ち、第１のタイプは、ＲＦ電流の周波数を比較的低い側のものにして、主として皮膚の比較的下層にある皮下脂肪を収縮させて肌を引締める美容機器である。第２のタイプは、ＲＦ電流の周波数を比較的高い側のものにして、皮膚の上層即ち表皮や真皮のコラーゲンを収縮させて肌を引締める美容機器である。また、第３のタイプは、ＲＦ電流の周波数を切替えることで、選択的に皮膚下層の皮下脂肪又は皮膚上層のコラーゲンを収縮させて肌の引締める美容機器である。
【０００５】
従って、この種の美容機器を利用して、皮膚下層の皮下脂肪と皮膚上層のコラーゲンとの両方を収縮させて肌の引締めという高い美容効果得ようとするときには、先ず、上記第１のタイプのも及び第２のタイプのものでの両施術を順次行う方法か、又は、第３のタイプのものを利用し、ＲＦ電流の周波数を切替えることで、順次、皮膚の両層への施術をするという方法かの何れかを採ることになる。何れの方法採るにしても、皮膚下層の皮下脂肪への施術と皮膚上層のコラーゲンへの施術との２段階になり、施術時間が、長くなるという問題がある。
【０００６】
本願発明は、上記のような事情に鑑みてなされたものであり、皮膚下層の皮下脂肪と皮膚上層のコラーゲンとの両方を収縮させて肌の引締めという高い美容効果得ようとするときであっても、施術時間が長くならない美容機器の提供を目的している。
【課題を解決するための手段】
【０００７】
請求項１の発明では、美容機器を以下のように構成した。すなわち、施術時に顔等の皮膚に対向する施術面に、長さが等しい２組のＲＦ電極対が比較的近接して突設されているプローブと、スイッチ操作を受けて、周波数がそれぞれ５００ｋＨｚと１ＭＨｚの２通りの電源を同時に送出する本体部と、上記本体部と上記プローブとを接続して、上記本体部から送出される２通りの電源のうちの５００ＫＨｚの電源を上記プローブの一方のＲＦ電極対間に供給し、１ＭＨｚの電源を上記プローブの他方のＲＦ電極対間に供給するコード部とを備える構成とした。
【０００８】
請求項２の発明では、美容機器を以下のように構成した。すなわち、施術時に顔等の皮膚に対向する施術面に、当該施術面と略面一に２組のＲＦ電極対が比較的近接して埋設されているプローブと、スイッチ操作を受けて、周波数がそれぞれ５００ｋＨｚと１ＭＨｚの２通りの電源を同時に送出する本体部と、上記本体部と上記プローブとを接続して、上記本体部から送出される２通りの電源のうちの５００ＫＨｚの電源を上記プローブの一方のＲＦ電極対間に供給し、１ＭＨｚの電源を上記プローブの他方のＲＦ電極対間に供給するコード部とを備える構成とした。
【発明の効果】
【０００９】
以上詳述したように、本願発明に係る美容機器によると、ＲＦの中でも比較的低い側の周波数である５００ＫＨｚの微弱電流と比較的高い側の周波数である１ＭＨｚの微弱電流とをそれぞれ施術対象となる皮膚の下層及び上層に同時に流すことが出来るので施術時間の短縮化が可能となる。
【図面の簡単な説明】
【００１０】
【図１】本願発明の実施の形態に係る美容機器の構成を説明するための図である。
【発明を実施するための形態】
【００１１】
以下、図面に基づいて本発明を実施するための形態を説明する。図１は、実施の形態に係る美容機器の構成を説明するための図である。この美容機器は、プローブ１と、図示されていない本体部と、この本体部とプローブ１とを接続するコード部２とからなる。同図に示すように、プローブ１には、施術時に施術対象である顔の皮膚等に対向する絶縁材製の施術面１０が設けられており、この施術面１０には、突出長さが１ｍｍ程度の金属製の２組のＲＦ電極対即ちＲＦ電極１１ａと１１ｂとからなるＲＦ電極対とＲＦ電極１２ａと１２ｂとからなるＲＦ電極対とが比較的近接して突設されている。
【００１２】
図示されていない本体部は、５００ｋＨｚ発振回路と１ＭＨｚ発振回路備え、スイッチ操作を受けて、周波数が５００ＫＨｚと１ＭＨｚの２通りの電源を同時に送出する回路部である。コード部２は、本体部１から送出されてくる５００ＫＨｚの電源をプローブ１のＲＦ電極１１ａと１１ｂの間に供給し、１ＭＨｚの電源をＲＦ電極１２ａと１２ｂの間に供給する。
【００１３】
上記のように構成された美容機器を用いての施術に際しては、施術対象である人の顔や身体の皮膚にプローブの施術面１０を向け、その上で、４個のＲＦ電極の上面を均等に上記皮膚に接触させる。次いで、図示しない本体部のスイッチを操作するが、これにより、上記ＲＦ電極１１ａと１１ｂの間には５００ｋＨｚの電源が供給され（即ち、周波数が５００ＫＨｚで電圧値が所定の交番電圧が印加され）、上記ＲＦ電極１２ａと１２ｂの間には１ＭＨｚの電源が供給される（即ち、周波数が１ＭＨｚで電圧値が所定の交番電圧が印加される）。このため、上記ＲＦ電極１１ａと１１ｂに接触している皮膚の間には５００ｋＨｚの微弱電流が流れ、上記ＲＦ電極１２ａと１２ｂに接触している皮膚の間には１ＭＨｚの微弱電流が流れる。この場合、５００ｋＨｚの微弱電流は、ＲＦ電極１１ａと１１ｂに接触している皮膚の間の比較的広い範囲に亘り、皮膚の比較的深い下部を集中的に流れ、結果的に該皮膚の比較的下層部分即ち皮下脂肪を温めて収縮させる。他方、１ＭＨｚの微弱電流は、ＲＦ電極１２ａと１２ｂに接触している皮膚の比較的狭い範囲で当該皮膚の表面即ち表皮や真皮に沿って流れて、これらの部分のコラーゲンを温めて収縮させる。なお、ＲＦ電極１１ａと１１ｂとから成るＲＦ電極対と、ＲＦ電極１２ａと１２ｂからなるＲＦ電極対は、前述のように、施術面１０上で比較的近接した状態で配設されているので、上記５００ｋＨｚの微弱電流の略真上を上記１ＭＨｚの微弱電流が流れているとみなしてよい。そのため施術中の皮膚の下層の皮下脂肪と上層のコラーゲンとの両方を同時に収縮でき、高い美容効果を、長い施術時間ではなく、比較的短い施術時間で得られることになる。
【００１４】
なお、本願発明の範囲は、上記実施の形態に限定されず、種々変形応用が可能である。
【産業上の利用可能性】
【００１５】
本発明は、美容機器の製造に係る産業において利用される可能性が大である。
【符号の説明】
【００１６】
１  プローブ
２  コード部
１０  施術面
１１ａ、１１ｂ    ＲＦ電極
１２ａ  １２ｂ    ＲＦ電極
【図１】
2018000489.tif 000003